(57)【要約】【課題】搬送時等における毒餌剤容器集合体の不用意な変形を抑制しながら、使用開始時に毒餌剤容器を容易に分離できるようにする。【解決手段】連結片は、毒餌剤容器集合体１の複数箇所に互いに間隔をあけて設けられた第１連結片６０と第２連結片７０とを有している。第１連結片６０の分割に要する力と、第２連結片７０の分割に要する力とは異なる力に設定されている。【選択図】図１
2018110549.tif 000002
【特許請求の範囲】
【請求項１】
毒餌剤が収容される複数の毒餌剤容器が、所定以上の外力の作用によって分割可能に形成された連結片を介して連結された毒餌剤容器集合体において、
上記連結片は、上記毒餌剤容器集合体の複数箇所に互いに間隔をあけて設けられた第１連結片と第２連結片とを有し、
上記第１連結片の分割に要する力と、上記第２連結片の分割に要する力とは異なる力に設定されていることを特徴とする毒餌剤容器集合体。
【請求項２】
請求項１に記載の毒餌剤容器集合体において、
平面視で上記毒餌剤容器集合体の中央部に配置される中央毒餌剤容器と、
平面視で上記中央毒餌剤容器の周囲に配置される複数の外側毒餌剤容器とを備え、
上記中央毒餌剤容器は、平面視で所定方向に長い形状とされ、
複数の上記外側毒餌剤容器が上記中央毒餌剤容器に連結されていることを特徴とする毒餌剤容器集合体。
【請求項３】
請求項１に記載の毒餌剤容器集合体において、
平面視で上記毒餌剤容器集合体の中央部に配置される中央毒餌剤容器と、
平面視で上記中央毒餌剤容器の周囲に配置される複数の外側毒餌剤容器とを備え、
上記第１連結片は、上記中央毒餌剤容器と上記外側毒餌剤容器とを連結し、
上記第２連結片は、上記外側毒餌剤容器同士を連結し、
上記第１連結片の分割に要する力は、上記第２連結片の分割に要する力よりも大きく設定されていることを特徴とする毒餌剤容器集合体。
【請求項４】
請求項１に記載の毒餌剤容器集合体において、
平面視で上記毒餌剤容器集合体の中央部に配置される中央毒餌剤容器と、
平面視で上記中央毒餌剤容器の周囲に配置される複数の外側毒餌剤容器とを備え、
上記第１連結片は、上記外側毒餌剤容器同士を連結し、
上記第２連結片は、上記中央毒餌剤容器と上記外側毒餌剤容器とを連結し、
上記第１連結片の分割に要する力は、上記第２連結片の分割に要する力よりも大きく設定されていることを特徴とする毒餌剤容器集合体。
【請求項５】
請求項１から４のいずれか１つに記載の毒餌剤容器集合体において、
上記第１連結片と上記第２連結片との厚みが異なっていることを特徴とする毒餌剤容器集合体。
【請求項６】
請求項５に記載の毒餌剤容器集合体において、
上記毒餌剤容器及び上記連結片は樹脂材により一体成形されており、
上記第１連結片と上記第２連結片との断面積が略同じになるように、上記第１連結片と上記第２連結片との幅が設定されていることを特徴とする毒餌剤容器集合体。
【発明の詳細な説明】
【技術分野】
【０００１】
本発明は、例えばゴキブリやアリ等の害虫を駆除するための毒餌剤を収納した容器を容易に分離可能に複数個連結して取り扱いやすい形にした毒餌剤容器集合体に関するものである。
【背景技術】
【０００２】
従来より、ゴキブリやアリ等の害虫を駆除するための毒餌剤を容器に収容して床や地面等に設置することが行われている。この種の毒餌剤容器は、１個ずつ包装したものや、複数個連結して取り扱いやすい形にした上で包装したもの等がある。
【０００３】
毒餌剤容器を複数個連結したものとしては、例えば特許文献１に開示されている毒餌剤容器集合体が知られている。特許文献１では、隣合う毒餌剤容器は連結片を介して連結されており、使用開始時に使用者が連結片を折ることによって毒餌剤容器を分離して１つずつ設置することができる。また、特許文献１では、形状が異なる毒餌剤容器を互いに連結しており、使用場所に応じて適切な形状の毒餌剤容器を選択して使用することができるようになっている。
【先行技術文献】
【特許文献】
【０００４】
【特許文献１】特許第４７８０７４２号公報
【発明の概要】
【発明が解決しようとする課題】
【０００５】
ところで、特許文献１のように複数個の毒餌剤容器を連結片で連結して毒餌剤容器集合体を構成する場合には、例えば搬送時等においては、毒餌剤容器集合体が不用意に変形しないように、毒餌剤容器集合体の全体的な剛性が要求される一方、使用開始時にはできるだけ小さな力で毒餌剤容器を分離できるようにしたいという要求がある。
【０００６】
また、例えば、毒餌剤容器が複数列を形成するように配列されて連結される構成が考えられる。このような構成を前提としたとき、使用者が所望の列を他の列から容易に分離したいという要求がある。
【０００７】
本発明は、かかる点に鑑みてなされたものであり、その目的とするところは、搬送時等における毒餌剤容器集合体の不用意な変形を抑制しながら、使用開始時に毒餌剤容器を容易に分離できるようにすることにある。
【課題を解決するための手段】
【０００８】
上記目的を達成するために、本発明では、連結片の分割に要する力を部位によって変えることができるようにした。
【０００９】
第１の発明は、毒餌剤が収容される複数の毒餌剤容器が、所定以上の外力の作用によって分割可能に形成された連結片を介して連結された毒餌剤容器集合体において、上記連結片は、上記毒餌剤容器集合体の複数箇所に互いに間隔をあけて設けられた第１連結片と第２連結片とを有し、上記第１連結片の分割に要する力と、上記第２連結片の分割に要する力とは異なる力に設定されていることを特徴とする。
【００１０】
この構成によれば、第１連結片の分割に要する力と、第２連結片の分割に要する力とが異なっているので、相対的に強い連結片を、毒餌剤容器集合体の全体的な剛性を確保できるように毒餌剤容器集合体の各部に配置することで、例えば搬送時等において毒餌剤容器集合体が不用意に変形してしまうのが抑制される。
【００１１】
また、使用開始時には、一部の毒餌剤容器のみが他の毒餌剤容器から小さな力で分離できるように、相対的に弱い連結片を毒餌剤容器集合体の各部に配置することで、使用開始時には小さな力で毒餌剤容器を容易に分離可能になる。また、毒餌剤容器が複数列を形成するように配列されて連結された構成の場合、所望の列を他の列から小さな力で分離できるように、相対的に弱い連結片を毒餌剤容器集合体の各部に配置することで、使用者が所望の列を他の列から容易に分離可能になる。
【００１２】
第２の発明は、第１の発明において、平面視で上記毒餌剤容器集合体の中央部に配置される中央毒餌剤容器と、平面視で上記中央毒餌剤容器の周囲に配置される複数の外側毒餌剤容器とを備え、上記中央毒餌剤容器は、平面視で所定方向に長い形状とされ、複数の上記外側毒餌剤容器が上記中央毒餌剤容器に連結されていることを特徴とする。
【００１３】
この構成によれば、中央毒餌剤容器が長い形状であることから、毒餌剤容器集合体の中央部において強度部材として機能することになる。そして、この中央毒餌剤容器に複数の外側毒餌剤容器を連結することで、毒餌剤容器集合体の全体的な剛性が確保される。
【００１４】
第３の発明は、第１の発明において、平面視で上記毒餌剤容器集合体の中央部に配置される中央毒餌剤容器と、平面視で上記中央毒餌剤容器の周囲に配置される複数の外側毒餌剤容器とを備え、上記第１連結片は、上記中央毒餌剤容器と上記外側毒餌剤容器とを連結し、上記第２連結片は、上記外側毒餌剤容器同士を連結し、上記第１連結片の分割に要する力は、上記第２連結片の分割に要する力よりも大きく設定されていることを特徴とする。
【００１５】
この構成によれば、外側毒餌剤容器が中央毒餌剤容器に対して相対的に強い第１連結片で連結されるので、毒餌剤容器集合体の全体的な剛性が確保される。一方、外側毒餌剤容器同士は相対的に弱い第２連結片で連結されるので、使用開始時には、ある外側毒餌剤容器を他の外側毒餌剤容器から小さな力で容易に分離可能になる。
【００１６】
第４の発明は、第１の発明において、平面視で上記毒餌剤容器集合体の中央部に配置される中央毒餌剤容器と、平面視で上記中央毒餌剤容器の周囲に配置される複数の外側毒餌剤容器とを備え、上記第１連結片は、上記外側毒餌剤容器同士を連結し、上記第２連結片は、上記中央毒餌剤容器と上記外側毒餌剤容器とを連結し、上記第１連結片の分割に要する力は、上記第２連結片の分割に要する力よりも大きく設定されていることを特徴とする。
【００１７】
この構成によれば、外側毒餌剤容器同士が相対的に強い第１連結片で連結されるので、複数の外側毒餌剤容器が枠状に配置されている場合には、毒餌剤容器集合体の外周部に剛性の高い枠が形成されることになり、毒餌剤容器集合体の全体的な剛性が確保される。
【００１８】
一方、中央毒餌剤容器と外側毒餌剤容器とは相対的に弱い第２連結片で連結されるので、使用開始時には、外側毒餌剤容器を中央毒餌剤容器から小さな力で容易に分離可能になる。
【００１９】
第５の発明は、第１から４のいずれか１つの発明において、上記第１連結片と上記第２連結片との厚みが異なっていることを特徴とする。
【００２０】
この構成によれば、例えば第１連結片と第２連結片を折る方向に外力を加えた際、第１連結片と第２連結片との厚みを変えていることで、分割に要する力に明確な差が生じる。つまり、厚みを変えるという簡単な手段によって第１連結片の分割に要する力と第２連結片の分割に要する力とを異なる力にすることが可能になる。
【００２１】
第６の発明は、第５の発明において、上記毒餌剤容器及び上記連結片は樹脂材により一体成形されており、上記第１連結片と上記第２連結片との断面積が略同じになるように、上記第１連結片と上記第２連結片との幅が設定されていることを特徴とする。
【００２２】
この構成によれば、第１連結片と第２連結片との断面積が略同じになるので、毒餌剤容器及び連結片を樹脂材により一体成形する際に、金型内における溶融樹脂の流動性が、第１連結片を成形するキャビティ部分と第２連結片を成形するキャビティ部分とで殆ど変わらないようにすることが可能になる。これにより、成形不良が発生し難くなる。
【発明の効果】
【００２３】
第１の発明によれば、毒餌剤容器集合体の複数箇所に互いに間隔をあけて設けられた第１連結片と第２連結片とを有し、第１連結片の分割に要する力と、第２連結片の分割に要する力とは異なる力に設定されているので、これら連結片の配置によって搬送時等における毒餌剤容器集合体の不用意な変形を抑制できるとともに、使用開始時に毒餌剤容器を容易に分離することができる。
【００２４】
第２の発明によれば、中央毒餌剤容器が長い形状であることから、毒餌剤容器集合体の中央部において強度部材として機能することになり、この中央毒餌剤容器に複数の外側毒餌剤容器を連結することで、毒餌剤容器集合体の全体的な剛性を確保できる。
【００２５】
第３の発明によれば、中央毒餌剤容器と外側毒餌剤容器とを相対的に強い第１連結片で連結したので、毒餌剤容器集合体の全体的な剛性を確保できる。また、外側毒餌剤容器同士を相対的に弱い第２連結片で連結したので、使用開始時には外側毒餌剤容器を小さな力で容易に分離できる。
【００２６】
第４の発明によれば、外側毒餌剤容器同士を相対的に強い第１連結片で連結したので、毒餌剤容器集合体の全体的な剛性を確保できる。また、中央毒餌剤容器と外側毒餌剤容器とを相対的に弱い第２連結片で連結したので、使用開始時には外側毒餌剤容器を小さな力で容易に分離できる。
【００２７】
第５の発明によれば、第１連結片と第２連結片との厚みを変えることで、第１連結片の分割に要する力と第２連結片の分割に要する力とを簡単に異なる力にすることができる。
【００２８】
第６の発明によれば、第１連結片と第２連結片との断面積が略同じになるように、第１連結片と第２連結片との幅を設定することで、成形不良の発生を抑制できる。
【図面の簡単な説明】
【００２９】
【図１】実施形態に係る毒餌剤容器集合体の斜視図である。
【図２】毒餌剤容器集合体の平面図である。
【図３】毒餌剤容器集合体の左側面図である。
【図４】毒餌剤容器集合体の正面図である。
【図５】図１におけるV−V線断面図である。
【図６】毒餌剤容器集合体の底面図である。
【図７】中央毒餌剤容器の斜視図である。
【図８】中央毒餌剤容器の平面図である。
【図９】中央毒餌剤容器の正面図である。
【図１０】図８におけるX−X線断面図である。
【図１１】四角形毒餌剤容器の斜視図である。
【図１２】四角形毒餌剤容器の平面図である。
【図１３】図１２におけるXIII−XIII線断面図である。
【図１４】丸形毒餌剤容器の斜視図である。
【図１５】丸形毒餌剤容器の平面図である。
【図１６】丸形毒餌剤容器の正面図である。
【図１７】丸形毒餌剤容器の側面図である。
【図１８】図１５におけるXVIII−XVIII線断面図である。
【図１９】三角形毒餌剤容器の斜視図である。
【図２０】三角形毒餌剤容器の平面図である。
【図２１】三角形毒餌剤容器の正面図である。
【図２２】三角形毒餌剤容器の側面図である。
【図２３】図２０におけるXXIII−XXIII線断面図である。
【図２４】図２０におけるXXIV−XXIV線断面図である。
【図２５】毒餌剤容器を分離した状態を示す図２相当図である。
【図２６】第１連結片及び第２連結片の断面を示す図である。
【発明を実施するための形態】
【００３０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３１】
図１は、本発明の実施形態に係る毒餌剤容器集合体１を示すものである。毒餌剤容器集合体１は、毒餌剤１００（図１０、図１３、図１８、図２３にのみ示す）が収容される複数の毒餌剤容器１Ａ、１Ｂ、２Ａ、２Ｂ、２Ｃ、２Ｄ、３Ａ、３Ｂ、３Ｃ、３Ｄ、４Ａ、４Ｂが、第１連結片６０または第２連結片７０を介して連結されて一体化されたものである。第１連結片６０及び第２連結片７０は、毒餌剤容器集合体１の複数箇所に互いに間隔をあけて設けられている。毒餌剤容器集合体１は、例えば包装用箱に収容された状態や、包装用フィルム等によって被覆された状態で店頭に陳列される。また、毒餌剤容器１Ａ〜４Ｂは黒色等の目立たない色に着色することができる。
【００３２】
毒餌剤１００は、例えばゴキブリ、アリ、ムカデ、ダンゴムシ等の害虫、特に匍匐害虫を駆除するための殺虫有効成分を少なくとも含有しており、必要に応じて害虫の誘引剤や毒餌剤１００の表面に湿り気を与える薬剤、香料等を添加することができる。毒餌剤１００は、固形状、半固形状、ゼリー状、ゲル状、ペースト状のいずれかを呈していて毒餌剤容器１Ａ〜４Ｂから漏出しないようになっている。また、毒餌剤１００を含浸体等に含浸させて毒餌剤容器１Ａ〜４Ｂに収容することもできる。
【００３３】
毒餌剤容器１Ａ〜４Ｂが連結されることで、毒餌剤容器集合体１は図１や図２の左右方向に長い１枚の板状になる。そして、各連結片６０、７０に対して所定以上の外力を作用させると、各連結片６０、７０が分割して図２５に示すように、毒餌剤容器１Ａ〜４Ｂを分離することができるようになっている。毒餌剤容器１Ａ〜４Ｂを分離する際に各連結片６０、７０に対して作用する力は、例えば各連結片６０、７０を折る力、切断する力等であり、使用者が工具等を用いることなく、手で作用させることができる力である。
【００３４】
尚、この実施形態では、図２に示すように、毒餌剤容器集合体１の左側、右側、上側及び下側を定義するが、これは説明の便宜を図るためだけであって、毒餌剤容器集合体１のどちら側が左側であってもよいし、上側であってもよい。また、図３に示すように毒餌剤容器集合体１の厚み方向を定義する。また、搬送時や店頭における陳列時には、水平に置かれることや、鉛直に置かれること、傾斜状態で置かれることもある。同様に、各毒餌剤容器１Ａ、１Ｂ、２Ａ、２Ｂ、２Ｃ、２Ｄ、３Ａ、３Ｂ、３Ｃ、３Ｄ、４Ａ、４Ｂを使用するときにも、水平に置かれることや、鉛直に置かれること、傾斜状態で置かれることがある。
【００３５】
（毒餌剤容器の形状及び配置）
毒餌剤容器１Ａ、１Ｂは、平面視で毒餌剤容器集合体１の中央部に配置される中央毒餌剤容器である。中央毒餌剤容器１Ａ、１Ｂは互いに同じ形状であり、毒餌剤容器集合体１の長手方向に長い略直方体状をなしている。中央毒餌剤容器１Ａは、図２において中央毒餌剤容器１Ｂの上側に位置するように配置される。また、中央毒餌剤容器１Ａ、１Ｂは互いに所定の間隔をあけた状態で略平行に配置される。中央毒餌剤容器１Ａ、１Ｂの長手方向中央部同士が第１連結片６０によって連結されている。中央毒餌剤容器１Ａ、１Ｂを連結する第１連結片６０は、毒餌剤容器集合体１の中央部に位置することになる。
【００３６】
毒餌剤容器２Ａ、２Ｂ、２Ｃ、２Ｄ、３Ａ、３Ｂ、３Ｃ、３Ｄ、４Ａ、４Ｂは、平面視で中央毒餌剤容器１Ａ、１Ｂの周囲に配置される外側毒餌剤容器である。毒餌剤容器２Ａ、２Ｂ、２Ｃ、２Ｄ、３Ａ、３Ｂ、３Ｃ、３Ｄ、４Ａ、４Ｂが、中央毒餌剤容器１Ａ、１Ｂの周囲において枠状に連結されており、その枠の内部に中央毒餌剤容器１Ａ、１Ｂが配置された状態になっている。
【００３７】
毒餌剤容器２Ａ、２Ｂ、２Ｃ、２Ｄは、互いに同じ形状であり、平面視で正方形に近い四角形毒餌剤容器である。従って、各四角形毒餌剤容器２Ａ、２Ｂ、２Ｃ、２Ｄの左右方向の寸法と、各四角形毒餌剤容器２Ａ、２Ｂ、２Ｃ、２Ｄの上下方向の寸法とは略同じである。
【００３８】
各四角形毒餌剤容器２Ａ、２Ｂ、２Ｃ、２Ｄの左右方向の寸法は、各中央毒餌剤容器１Ａ、１Ｂの左右方向の寸法よりも短く設定されており、具体的には、各中央毒餌剤容器１Ａ、１Ｂの左右方向の寸法は、各四角形毒餌剤容器２Ａ、２Ｂ、２Ｃ、２Ｄの左右方向の寸法の約２倍である。また、各四角形毒餌剤容器２Ａ、２Ｂ、２Ｃ、２Ｄの上下方向の寸法は、各中央毒餌剤容器１Ａ、１Ｂの上下方向の寸法よりも長く設定されており、具体的には、各中央毒餌剤容器１Ａ、１Ｂの上下方向の寸法は、各四角形毒餌剤容器２Ａ、２Ｂ、２Ｃ、２Ｄの上下方向の寸法の約１／２である。
【００３９】
四角形毒餌剤容器２Ａは、中央毒餌剤容器１Ａ、１Ｂの右側に配置されている。四角形毒餌剤容器２Ａの左端部が、中央毒餌剤容器１Ａ、１Ｂの右端部にそれぞれ第１連結片６０によって連結されている。四角形毒餌剤容器２Ｂは、中央毒餌剤容器１Ａ、１Ｂの左側に配置されている。四角形毒餌剤容器２Ｂの右端部が、中央毒餌剤容器１Ａ、１Ｂの左端部にそれぞれ第１連結片６０によって連結されている。つまり、中央毒餌剤容器１Ａ、１Ｂの右側が１つの四角形毒餌剤容器２Ａに連結されることで、中央毒餌剤容器１Ａ、１Ｂの右側の相対的な変位が抑制される。また、中央毒餌剤容器１Ａ、１Ｂの左側が１つの四角形毒餌剤容器２Ｂに連結されることで、中央毒餌剤容器１Ａ、１Ｂの左側の相対的な変位が抑制される。
【００４０】
四角形毒餌剤容器２Ｃは、四角形毒餌剤容器２Ａの上側に配置されている。四角形毒餌剤容器２Ｃの下端部が、四角形毒餌剤容器２Ａの上端部に第２連結片７０によって連結されている。また、四角形毒餌剤容器２Ｄは、四角形毒餌剤容器２Ｂの下側に配置されている。四角形毒餌剤容器２Ｄの上端部が、四角形毒餌剤容器２Ｂの下端部に第２連結片７０によって連結されている。
【００４１】
毒餌剤容器３Ａ、３Ｂ、３Ｃ、３Ｄは、互いに同じ形状であり、平面視で円形に近い丸形毒餌剤容器である。各丸形毒餌剤容器３Ａ、３Ｂ、３Ｃ、３Ｄの外径は、各中央毒餌剤容器１Ａ、１Ｂの左右方向の寸法よりも短く設定されており、具体的には、丸形毒餌剤容器３Ａ、３Ｂ、３Ｃ、３Ｄの外径と、各四角形毒餌剤容器２Ａ、２Ｂ、２Ｃ、２Ｄの左右方向の寸法とは略同じである。また、各丸形毒餌剤容器３Ａ、３Ｂ、３Ｃ、３Ｄの外径は、各中央毒餌剤容器１Ａ、１Ｂの上下方向の寸法よりも長く設定されており、具体的には、丸形毒餌剤容器３Ａ、３Ｂ、３Ｃ、３Ｄの外径と、各四角形毒餌剤容器２Ａ、２Ｂ、２Ｃ、２Ｄの上下方向の寸法とは略同じである。
【００４２】
丸形毒餌剤容器３Ａは、中央毒餌剤容器１Ａの上側において左側に配置されている。丸形毒餌剤容器３Ａの下端部が中央毒餌剤容器１Ａの上端部の左側に第１連結片６０によって連結されている。丸形毒餌剤容器３Ｂは、中央毒餌剤容器１Ａの上側において右側に配置されている。丸形毒餌剤容器３Ｂの下端部が中央毒餌剤容器１Ａの上端部の右側に第１連結片６０によって連結されている。また、丸形毒餌剤容器３Ｂの左端部は、丸形毒餌剤容器３Ａの右端部に第１連結片６０によって連結されている。つまり、２つの丸形毒餌剤容器３Ａ、３Ｂが１つの中央毒餌剤容器１Ａに連結されることで、丸形毒餌剤容器３Ａ、３Ｂの下側の相対的な変位が抑制される。また、丸形毒餌剤容器３Ｂの右端部は、四角形毒餌剤容器２Ｃの左端部に第２連結片７０によって連結されている。
【００４３】
丸形毒餌剤容器３Ｃは、中央毒餌剤容器１Ｂの下側において左側に配置されている。丸形毒餌剤容器３Ｃの上端部が中央毒餌剤容器１Ｂの下端部の左側に第１連結片６０によって連結されている。丸形毒餌剤容器３Ｄは、中央毒餌剤容器１Ｂの下側において右側に配置されている。丸形毒餌剤容器３Ｄの上端部が中央毒餌剤容器１Ｂの下端部の右側に第１連結片６０によって連結されている。また、丸形毒餌剤容器３Ｄの左端部は、丸形毒餌剤容器３Ｃの右端部に第１連結片６０によって連結されている。つまり、２つの丸形毒餌剤容器３Ｃ、３Ｄが１つの中央毒餌剤容器１Ｂに連結されることで、丸形毒餌剤容器３Ｃ、３Ｄの上側の相対的な変位が抑制される。また、丸形毒餌剤容器３Ｃの左端部は、四角形毒餌剤容器２Ｄの右端部に第２連結片７０によって連結されている。
【００４４】
毒餌剤容器４Ａ、４Ｂは、互いに同じ形状であり、平面視で三角形に近い三角形毒餌剤容器である。各三角形毒餌剤容器４Ａ、４Ｂの左右方向の寸法は、各四角形毒餌剤容器２Ａ、２Ｂ、２Ｃ、２Ｄの左右方向の寸法と略同じに設定されている。また、各三角形毒餌剤容器４Ａ、４Ｂの上下方向の寸法は、各丸形毒餌剤容器３Ａ、３Ｂ、３Ｃ、３Ｄの上下方向の寸法と略同じに設定されている。
【００４５】
三角形毒餌剤容器４Ａは、四角形毒餌剤容器２Ｂの上側、かつ、丸形毒餌剤容器３Ａの左側に配置されており、三角形毒餌剤容器４Ａの斜辺部が左斜め上に位置している。これにより、毒餌剤容器集合体１の左斜め上部分が傾斜した線で構成されることになる。三角形毒餌剤容器４Ａの下端部は、四角形毒餌剤容器２Ｂの上端部に第２連結片７０によって連結されている。また、三角形毒餌剤容器４Ａの右端部は、丸形毒餌剤容器３Ａの左端部に第２連結片７０によって連結されている。三角形毒餌剤容器４Ａは、中央毒餌剤容器１Ａ、１Ｂに対して連結されていない。
【００４６】
三角形毒餌剤容器４Ｂは、四角形毒餌剤容器２Ａの下側、かつ、丸形毒餌剤容器３Ｄの右側に配置されており、三角形毒餌剤容器４Ｂの斜辺部が右斜め下に位置している。これにより、毒餌剤容器集合体１の右斜め下部分が傾斜した線で構成されることになる。三角形毒餌剤容器４Ｂの上端部は、四角形毒餌剤容器２Ａの下端部に第２連結片７０によって連結されている。また、三角形毒餌剤容器４Ｂの左端部は、丸形毒餌剤容器３Ｄの右端部に第２連結片７０によって連結されている。三角形毒餌剤容器４Ｂも中央毒餌剤容器１Ａ、１Ｂに対して連結されていない。
【００４７】
（中央毒餌剤容器の構成）
次に、中央毒餌剤容器１Ａ、１Ｂの構成について図７〜図１０に基づいて説明する。中央毒餌剤容器１Ａ、１Ｂは略同じ構成であるため、以下、中央毒餌剤容器１Ａの構成について説明する。中央毒餌剤容器１Ａは、底側部材１０と、天板側部材１１とで構成されており、これらは共に樹脂材を射出成形してなるものである。底側部材１０は、底板部１０ａと、底板部１０ａの周縁部に一体成形された側板部１０ｂとを有しており、底側部材１０の上端部は開放されている。側板部１０ｂには、害虫の侵入孔１０ｃが互いに周方向に間隔をあけて複数形成されている。
【００４８】
天板側部材１１は、底板部１０ａと略平行な天板部１１ａと、天板部１１ａの周縁部から底板部１０ａに接近する方向に傾斜しながら延びる傾斜板部１１ｂとを有している。天板側部材１１によって底側部材１０の上端部が閉塞されるようになっている。
【００４９】
図１０に示すように、底板部１０ａの中央部には、天板部１１ａに接近する方向に膨出する膨出部１０ｄが形成されている。膨出部１０ｄの膨出方向先端面に毒餌剤１００が載置されるようになっている。膨出部１０ｄの膨出方向先端面において毒餌剤１００の周囲には、毒餌剤保持部１０ｅが天板部１１ａに接近する方向に突出するように設けられている。また、天板部１１ａの中央部には、底板部１０ａに接近する方向に突出する突出部１１ｃが形成されている。この突出部１１ｃによって毒餌剤１００の位置ずれが抑制されるようになっている
（四角形毒餌剤容器の構成）
次に、四角形毒餌剤容器２Ａ、２Ｂ、２Ｃ、２Ｄの構成について図１１〜図１３に基づいて説明する。四角形毒餌剤容器２Ａ、２Ｂ、２Ｃ、２Ｄは略同じ構成であるため、以下、四角形毒餌剤容器２Ｃの構成について説明する。四角形毒餌剤容器２Ｃは、底側部材２０と、天板側部材２１とで構成されており、これらは共に樹脂材を射出成形してなるものである。底側部材２０は、底板部２０ａと、底板部２０ａの周縁部に一体成形された側板部２０ｂとを有しており、底側部材２０の上端部は開放されている。側板部２０ｂには、害虫の侵入孔２０ｃが互いに周方向に間隔をあけて複数形成されている。
【００５０】
天板側部材２１は、底板部２０ａと略平行な天板部２１ａと、天板部２１ａの周縁部から底板部２０ａに接近する方向に傾斜しながら延びる傾斜板部２１ｂとを有している。天板側部材２１によって底側部材２０の上端部が閉塞されるようになっている。
【００５１】
図１３に示すように、底板部２０ａの中央部には、天板部２１ａに接近する方向に膨出する膨出部２０ｄが形成されている。膨出部２０ｄの膨出方向先端面に毒餌剤１００が載置されるようになっている。膨出部２０ｄの膨出方向先端面において毒餌剤１００の周囲には、毒餌剤保持部２０ｅが天板部２１ａに接近する方向に突出するように設けられている。また、天板部２１ａの中央部には、底板部２０ａに接近する方向に突出する突出部２１ｃが形成されている。この突出部２１ｃによって毒餌剤１００の位置ずれが抑制されるようになっている。
【００５２】
（丸形毒餌剤容器の構成）
次に、丸形毒餌剤容器３Ａ、３Ｂ、３Ｃ、３Ｄの構成について図１４〜図１８に基づいて説明する。丸形毒餌剤容器３Ａ、３Ｂ、３Ｃ、３Ｄは略同じ構成であるため、以下、丸形毒餌剤容器３Ａの構成について説明する。丸形毒餌剤容器３Ａは、底側部材３０と、天板側部材３１とで構成されており、これらは共に樹脂材を射出成形してなるものである。底側部材３０は、底板部３０ａと、底板部３０ａの周縁部に一体成形された側板部３０ｂとを有しており、底側部材３０の上端部は開放されている。側板部３０ｂには、害虫の侵入孔３０ｃが互いに周方向に間隔をあけて複数形成されている。
【００５３】
天板側部材３１は、底板部３０ａと略平行な天板部３１ａと、天板部３１ａの周縁部から底板部３０ａに接近する方向に傾斜しながら延びる傾斜板部３１ｂとを有している。天板側部材３１によって底側部材３０の上端部が閉塞されるようになっている。
【００５４】
図１８に示すように、底板部３０ａの中央部には、天板部３１ａに接近する方向に膨出する膨出部３０ｄが形成されている。膨出部３０ｄの膨出方向先端面に毒餌剤１００が載置されるようになっている。膨出部３０ｄの膨出方向先端面において毒餌剤１００の周囲には、毒餌剤保持部３０ｅが天板部３１ａに接近する方向に突出するように設けられている。また、天板部３１ａの中央部には、底板部３０ａに接近する方向に突出する突出部３１ｃが形成されている。この突出部３１ｃによって毒餌剤１００の位置ずれが抑制されるようになっている。
【００５５】
（三角形毒餌剤容器の構成）
次に、三角形毒餌剤容器４Ａ、４Ｂの構成について図１９〜図２４に基づいて説明する。三角形毒餌剤容器４Ａ、４Ｂは略同じ構成であるため、以下、三角形毒餌剤容器４Ａの構成について説明する。三角形毒餌剤容器４Ａは、底側部材４０と、天板側部材４１とで構成されており、これらは共に樹脂材を射出成形してなるものである。底側部材４０は、底板部４０ａと、底板部４０ａの周縁部に一体成形された側板部４０ｂとを有しており、底側部材４０の上端部は開放されている。側板部４０ｂには、害虫の侵入孔４０ｃが互いに周方向に間隔をあけて複数形成されている。
【００５６】
天板側部材４１は、底板部４０ａと略平行な天板部４１ａと、天板部４１ａの周縁部から底板部４０ａに接近する方向に傾斜しながら延びる傾斜板部４１ｂとを有している。天板側部材４１によって底側部材４０の上端部が閉塞されるようになっている。
【００５７】
図２３及び図２４に示すように、底板部４０ａの中央部には、天板部４１ａに接近する方向に膨出する膨出部４０ｄが形成されている。膨出部４０ｄの膨出方向先端面に毒餌剤１００が載置されるようになっている。膨出部４０ｄの膨出方向先端面において毒餌剤１００の周囲には、毒餌剤保持部４０ｅが天板部４１ａに接近する方向に突出するように設けられている。また、天板部４１ａの中央部には、底板部４０ａに接近する方向に突出する突出部４１ｃが形成されている。この突出部４１ｃによって毒餌剤１００の位置ずれが抑制されるようになっている。
【００５８】
（連結片の構成）
図２６に第１連結片６０の断面形状及び第２連結片７０の断面形状を示す。第１連結片６０の断面形状と第２連結片７０の断面形状とは異なっている。これは、第１連結片６０の分割に要する力と、第２連結片７０の分割に要する力とを異なる力に設定するためであり、具体的には、第１連結片６０及び第２連結片７０に折り曲げ力を作用させた際に、第１連結片６０の分割に要する力の方が、第２連結片７０の分割に要する力よりも大きくなるように各々の断面形状を設定している。
【００５９】
第１連結片６０及び第２連結片７０を折り曲げることによって分割する場合や切り離すようにする場合には、第１連結片６０及び第２連結片７０の幅（Ｗ１、Ｗ２）よりも厚み（Ｔ１、Ｔ２）の方が影響度合いとしては大きいので、第１連結片６０の厚み（Ｔ１）を第２連結片の厚み（Ｔ２）よりも厚く設定している。例えば、第１連結片６０の厚み（Ｔ１）を第２連結片の厚み（Ｔ２）の１．２倍以上２．０倍以下に設定することができ、この実施形態では１．５倍に設定している。
【００６０】
そして、第１連結片６０の断面積と、第２連結片７０の断面積とが略同じになるように、第１連結片６０の幅（Ｗ１）と第２連結片７０の幅（Ｗ２）とが設定されている。第１連結片６０の断面積と第２連結片７０の断面積とを略同じにすることで、後述する成形時に溶融樹脂の流動性を各部で良好にすることができる。
【００６１】
上述のように第１連結片６０及び第２連結片７０を設けることにより、第１連結片６０は中央毒餌剤容器１Ａ、１Ｂと外側毒餌剤容器２Ａ、２Ｂ、２Ｃ、２Ｄ、３Ａ、３Ｂ、３Ｃ、３Ｄ、４Ａ、４Ｂとを連結し、第２連結片７０は、外側毒餌剤容器２Ａ、２Ｂ、２Ｃ、２Ｄ、３Ａ、３Ｂ、３Ｃ、３Ｄ、４Ａ、４Ｂ同士を連結することになる。
【００６２】
尚、第１連結片６０及び第２連結片７０の断面形状は、図示した形状に限られるものではなく、正方形断面、縦長矩形断面、円形断面、楕円形断面等であってもよい。また、第１連結片６０または第２連結片７０の一部を切り欠いたり、孔を形成することにより、各々の分割に要する力を変えることもできる。
【００６３】
（毒餌剤容器集合体の製造方法）
毒餌剤容器集合体１は２つの樹脂製部材を結合してなるものである。すなわち、中央毒餌剤容器１Ａ、１Ｂの２つの底側部材１０と、四角形毒餌剤容器２Ａ、２Ｂ、２Ｃ、２Ｄの４つの底側部材２０と、丸形毒餌剤容器３Ａ、３Ｂ、３Ｃ、３Ｄの４つの底側部材３０と、三角形毒餌剤容器４Ａ、４Ｂの２つの底側部材４０とが、それぞれ図６に示すように、第１連結片６０及び第２連結片７０によって連結された状態で一体成形された部材を用意する。この部材は、金型を用いて射出成形法によって一体成形された部材である。
【００６４】
射出成形時には、ゲートを底側部材１０、２０、３０、４０の数と同じだけ設けることは型費及び型構造の面から困難であり、従って、ゲートは例えば２〜４ヶ所、多くても６ヶ所程度にしておく。このため、ゲートからキャビティに射出された溶融樹脂は、第１連結片６０を成形するキャビティ部分と、第２連結片７０を成形するキャビティ部分とを流動することがある。このとき、第１連結片６０と第２連結片７０との断面積が略同じであるため、金型内における溶融樹脂の流動性が、第１連結片６０を成形するキャビティ部分と第２連結片７０を成形するキャビティ部分とで殆ど変わらないようにすることが可能になる。これにより、成形不良が発生し難くなる。
【００６５】
もう一方の部材は、中央毒餌剤容器１Ａ、１Ｂの２つの天板側部材１１と、四角形毒餌剤容器２Ａ、２Ｂ、２Ｃ、２Ｄの４つの天板側部材２１と、丸形毒餌剤容器３Ａ、３Ｂ、３Ｃ、３Ｄの４つの天板側部材３１と、三角形毒餌剤容器４Ａ、４Ｂの２つの天板側部材４１とが、それぞれ図２に示すように、第１連結片６０及び第２連結片７０によって連結された状態で一体成形された部材である。この部材を成形する際も上述したように第１連結片６０と第２連結片７０との断面積が略同じであるため、成形不良が発生し難くなる。
【００６６】
そして、底側部材１０、２０、３０、４０の膨出部１０ｄ、２０ｄ、３０ｄ、４０ｄに毒餌剤１００を載置した後、底側部材１０、２０、３０、４０に天板側部材１１、２１、３１、４１を結合して一体化する。これにより、毒餌剤容器集合体１が得られる。このとき、底側部材１０、２０、３０、４０と天板側部材１１、２１、３１、４１とを嵌合させてもよいし、溶着等してもよい。
【００６７】
尚、第１連結片６０と第２連結片７０との断面積は異なっていてもよいが、成形時の溶融樹脂の流動性を悪化させない程度の断面積を確保しておくのが好ましい。
【００６８】
また、図７〜図２５では、分割後の第１連結片６０及び第２連結片７０を示している。
【００６９】
（実施形態の作用効果）
毒餌剤容器集合体１を構成している中央毒餌剤容器１Ａ、１Ｂが左右方向に長い形状であることから、毒餌剤容器集合体１の中央部において中央毒餌剤容器１Ａ、１Ｂが強度部材として機能することになる。そして、この中央毒餌剤容器１Ａ、１Ｂに、四角形毒餌剤容器２Ａ、２Ｂ及び丸形毒餌剤容器３Ａ、３Ｂ、３Ｃ、３Ｄを連結することで、毒餌剤容器集合体１の全体的な剛性が確保される。このとき、四角形毒餌剤容器２Ａ、２Ｂ及び丸形毒餌剤容器３Ａ、３Ｂ、３Ｃ、３Ｄが、中央毒餌剤容器１Ａ、１Ｂに対して相対的に強い第１連結片６０によって連結されているので、毒餌剤容器集合体１の全体的な剛性が十分に得られる。
【００７０】
そして、使用時には、使用者が毒餌剤容器集合体１を構成している毒餌剤容器１Ａ〜４Ｂを分離する。このとき、例えば三角形毒餌剤容器４Ａに着目したとき、三角形毒餌剤容器４Ａは相対的に弱い第２連結片７０によって四角形毒餌剤容器２Ｂ及び丸形毒餌剤容器３Ａに連結されているので、弱い力で第２連結片７０を折って分割することができる。三角形毒餌剤容器４Ｂ、四角形毒餌剤容器２Ｃ、２Ｄも同様である。この折り曲げ力を加えるときには、中央毒餌剤容器１Ａ、１Ｂが毒餌剤容器集合体１の中央部において強度部材として機能しているので、例えば中央毒餌剤容器１Ａ、１Ｂを持つことで安定させることができる。
【００７１】
また、任意の１列、例えば、三角形毒餌剤容器４Ａ、四角形毒餌剤容器２Ｂ及び四角形毒餌剤容器２Ｄで構成された列を、他の毒餌剤容器３Ａ、１Ａ、１Ｂ、３Ｃから分離する際には、三角形毒餌剤容器４Ａと丸形毒餌剤容器３Ａとが相対的に弱い第２連結片７０によって連結されているので、この第２連結片７０を分離のきっかけとすることができ、列ごとの分離が容易になる。このとき、四角形毒餌剤容器２Ｄと丸形毒餌剤容器３Ｃが相対的に弱い第２連結片７０によって連結されているので、この部分も分離のきっかけとすることができる。
【００７２】
また、同様に、三角形毒餌剤容器４Ｂ、四角形毒餌剤容器２Ａ及び四角形毒餌剤容器２Ｃで構成された列を、他の毒餌剤容器３Ｂ、１Ａ、１Ｂ、３Ｄから分離する際にも、相対的に弱い第２連結片７０を分離のきっかけとすることができる。また、同様に、三角形毒餌剤容器４Ａ、丸形毒餌剤容器３Ａ、丸形毒餌剤容器３Ｂ及び四角形毒餌剤容器２Ｃで構成された列を、他の毒餌剤容器２Ｂ、１Ａ、２Ａから分離する際にも相対的に弱い第２連結片７０を分離のきっかけとすることができる。また、同様に、三角形毒餌剤容器４Ｂ、丸形毒餌剤容器３Ｃ、丸形毒餌剤容器３Ｄ及び四角形毒餌剤容器２Ｄで構成された列を、他の毒餌剤容器２Ｂ、１Ｂ、２Ａから分離する際にも相対的に弱い第２連結片７０を分離のきっかけとすることができる。
【００７３】
以上説明したように、この実施形態によれば、毒餌剤容器集合体１の全体的な剛性を確保して搬送時等における毒餌剤容器集合体１の不用意な変形を抑制しながら、使用開始時に毒餌剤容器１Ａ〜４Ｂを容易に分離できる。
【００７４】
（その他の実施形態）
上記実施形態では、第１連結片６０の分割に要する力が第２連結片７０の分割に要する力よりも大きく設定しているが、これに限らず、第１連結片６０の分割に要する力が第２連結片７０の分割に要する力よりも小さく設定してもよい。
【００７５】
また、第１連結片６０及び第２連結片７０の位置は上記した位置に限られるものではなく、例えば、第１連結片６０は、外側毒餌剤容器２Ａ、２Ｂ、２Ｃ、２Ｄ、３Ａ、３Ｂ、３Ｃ、３Ｄ、４Ａ、４Ｂ同士を連結するように外周側に配置し、第２連結片７０は、中央毒餌剤容器１Ａ、１Ｂと外側毒餌剤容器２Ａ、２Ｂ、２Ｃ、２Ｄ、３Ａ、３Ｂ、３Ｃ、３Ｄ、４Ａ、４Ｂとを連結するように中央寄りに配置してもよい。これにより、枠状に配置された外側毒餌剤容器２Ａ、２Ｂ、２Ｃ、２Ｄ、３Ａ、３Ｂ、３Ｃ、３Ｄ、４Ａ、４Ｂ同士が相対的に強い第１連結片６０で連結されることになるので、毒餌剤容器集合体１の外周部に剛性の高い枠が形成されることになり、毒餌剤容器集合体２の全体的な剛性が確保される。分離する際には、相対的に弱い第２連結片７０が配置されている中央部をきっかけとして、外側毒餌剤容器２Ａ、２Ｂ、２Ｃ、２Ｄ、３Ａ、３Ｂ、３Ｃ、３Ｄ、４Ａ、４Ｂを中央毒餌剤容器１Ａ、１Ｂから容易に分離することができる。
【００７６】
また、上記実施形態では、中央毒餌剤容器１Ａ、１Ｂが長い形状である場合について説明したが、これに限らず、平面視で正方形や円形に近い形状であってもよい。
【００７７】
また、外側毒餌剤容器が、四角形毒餌剤容器２Ａ、２Ｂ、２Ｃ、２Ｄと、丸形毒餌剤容器３Ａ、３Ｂ、３Ｃ、３Ｄと、三角形毒餌剤容器４Ａ、４Ｂとで構成されている場合について説明したが、これに限らず、四角形毒餌剤容器のみ、丸形毒餌剤容器のみ、三角形毒餌剤容器のみで構成されていてもよい。また、四角形毒餌剤容器、丸形毒餌剤容器及び三角形毒餌剤容器のうち、１つまたは任意の２つを省略してもよい。また、四角形毒餌剤容器、丸形毒餌剤容器及び三角形毒餌剤容器の配置を変更することもできる。
【００７８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７９】
以上説明したように、本発明に係る毒餌剤容器集合体は、例えばゴキブリやアリ等の害虫を駆除する場合に利用することができる。
【符号の説明】
【００８０】
１                          毒餌剤容器集合体
１Ａ、１Ｂ                  中央毒餌剤容器
２Ａ、２Ｂ、２Ｃ、２Ｄ      四角形毒餌剤容器
３Ａ、３Ｂ、３Ｃ、３Ｄ      丸形毒餌剤容器
４Ａ、４Ｂ                  三角形毒餌剤容器
６０                        第１連結片
７０                        第２連結片
【図１】
2018110549.tif 000003
【図２】
2018110549.tif 000004
【図３】
2018110549.tif 000005
【図４】
2018110549.tif 000006
【図５】
2018110549.tif 000007
【図６】
2018110549.tif 000008
【図７】
2018110549.tif 000009
【図８】
2018110549.tif 000010
【図９】
2018110549.tif 000011
【図１０】
2018110549.tif 000012
【図１１】
2018110549.tif 000013
【図１２】
2018110549.tif 000014
【図１３】
2018110549.tif 000015
【図１４】
2018110549.tif 000016
【図１５】
2018110549.tif 000017
【図１６】
2018110549.tif 000018
【図１７】
2018110549.tif 000019
【図１８】
2018110549.tif 000020
【図１９】
2018110549.tif 000021
【図２０】
2018110549.tif 000022
【図２１】
2018110549.tif 000023
【図２２】
2018110549.tif 000024
【図２３】
2018110549.tif 000025
【図２４】
2018110549.tif 000026
【図２５】
2018110549.tif 000027
【図２６】
2018110549.tif 000028